(57)【要約】      （修正有）【課題】照明用高輝度ＬＥＤを直視した場合、目に対する過度の刺激や、照明を行なおうとする区域内で照度のムラが生じる事の少ないＬＥＤランプモジュールを提供する。【解決手段】複数個のＬＥＤを集合体としてモジュ−ル化し、該モジュ−ルを灯体へ取り付ける際は、取り付け位置を容易に分散配置使用できる構造とする一方、灯体取り付け時に個々のモジュ−ルの光軸方向を任意、かつランダムな方向と出来る構造とする事と、共にランプモジュ−ル内に調光対応回路を設ける事で解決を図った。【選択図】図１
0003142792.tif 000002
【実用新案登録請求の範囲】
【請求項１】
プリント配線基板１の表面に直列接続して複数個のLED２を集合配置して、対応電極間を導通配線した一対の接続端子３、整流回路5、及び定電流回路６と、接続端子３を介し供給される交流を整流回路５で直流に変換し、該直流を定電流回路６を経由してLED２に供給しLED２を点灯駆動する回路と、プリント配線基板１中央部に設けた取り付け孔４の周辺部を除くプリント基板１の面を覆う熱伝導性絶縁材８とにより成るLEDランプモジュ−ル。
【請求項２】
対応電極間を導通配線した一対の接続端子３に、電力供給電極１３と制御電極１４を設け、制御電極１４を定電流回路６に接続した請求項１のLEDランプモジュ−ル。
【考案の詳細な説明】
【技術分野】
【０００１】
本考案はLEDを発光源とする表示とか照明用のランプに関するものである。
【背景技術】
【０００２】
従来白熱ランプ、蛍光ランプ等が照明分野の主流として使われてきていたが、近年高輝度白色LEDの登場で更なる省エネ効果が期待できる事と相俟ってLEDを照明用途に利用しようという気運が高まってきている。又青色LEDの出現により各色LEDの組み合わせによる、ランプ発光光線の色調の多様化を図れる環境が整ってきている。
【考案の開示】
【考案が解決しようとする課題】
【０００３】
照明の形態には、スポットライト照明、広域面照明、間接照明等々、様々な形態があるが、LEDは本来半導体チップを発光源とする点光源発光体構造の為、一般的にはチップ上のパッケ−ジにレンズ効果を持たせることにより集光をする構造をとって作られている。その為高輝度化を図ったLEDを照明用途に用いた場合、人の目に対する刺激が過大となる状態が生じたり、照射区域が限定され照度の不足する区域が生じるといった不備な要素が存在していた。又近年インバ−タ方式の蛍光灯で省エネ効果向上を狙った照明も普及してきているが、この場合調光制御は不適当とされており、光の演出効果を制約する因子となっていた。又LED間には製造時の条件バラツキに基づく発光輝度のバラツキが存在し、これらを組み合わせ使用しようとした場合、所定の色調、光度実現の為何らかのバラツキ補正手段が不可欠である。
【課題を解決するための手段】
【０００４】
本考案のLEDランプモジュ−ルは、所定のプリント配線基板表面に直列接続した複数個のLEDを集合配置し、更にプリント配線基板にはオンボ−ドコネクタ−等を用いた一対の接続端子を配置し各対応電極間を導通配線し、別に整流回路、定電流回路を設け、接続端子の交流電力供給電極を介し供給される電力を整流回路で直流とし、該直流を定電流回路を経由してLEDに供給し、LEDを点灯駆動する回路を構成する。定電流回路は制御入力端子付き構成とし、制御入力端子に加える電圧を一定レベル以上に保った場合所定電流を通電し、ゼロレベルに電圧が降下すると通電遮断する機能を備えたものを用いる。プリント配線基板中央部には何れの回路部品も配置しない空隙部に取り付け孔を明ける構造とする。斯かる構成で取り付け孔周辺部を除くプリント配線基板面を熱伝導性絶縁材で覆う構造とする。
【考案の効果】
【０００５】
上述したLEDランプモジュ−ルを灯体のランプ取り付け面へ固定するには、中央に明けた取り付け孔を利用しネジ又は樹脂製ワンタッチスペ−サ−等を用い固定する。この際ネジ又はスペ−サ−をゆるく締めた状態で該モジュ−ルと灯体の取り付け面との間に出来る空隙の一端に枕材を挟み固定する方法で、ランプ光軸方向を任意の角度、方向に分散化して取り付けが行える。更に一灯体内に複数個のモジュ−ルを配置した用途に於いて、ランプ固定面を線状(一次元)平面、湾曲面、二次元面等への任意拡大取り付けが容易に行え、かつ各隣接モジュ−ル間の配線は一対の接続端子間を橋渡し接続する方法により簡単に行える。更に接続端子に電力供給電極と制御電極を設け、制御電極を定電流回路の制御入力端子に接続する方法で、各LEDへの通電、非通電制御が実現出来る。制御電極に加える制御電圧は、在来の位相制御回路による負荷端子電圧、パルス幅変調発振回路の出力電圧等が利用できる為、在来の調光器、又はPWM発振器を用い調光制御が行える。更にこの機能を用い異なる色のLEDランプモジュ−ルを用い混合光を利用する灯体に於いて、異なる色のランプモジュ−ル毎に独立に制御電圧を加える方法でカラ−バランス調整を行い、光演出効果を高めた利用が可能とできる事と、ランプモジュ−ル間の輝度のバラツキ補正も行える。又プリント配線基板表面を熱伝導性絶縁材で覆う事により、プリント配線基板に配置した電子回路部からの発熱を効果的に周囲に放散する経路が構成出来る。
【考案を実施するための最良の形態】
【０００６】
直方形のプリント配線基板の表面に直列接続した複数個のLEDを同心円状に配置し、同面角部に電力供給電極、制御電極等を備えた一対の接続端子を配置し各対応電極間を導通配線する。該プリント配線基板の面には更に整流回路、定電流回路を配置し、接続端子の電力供給電極から供給される交流を整流回路で整流し、得られた直流で定電流回路を経由して直列LEDを点灯駆動する回路を構成する。該定電流回路は制御入力端子付き構成とし、接続端子の制御電極を定電流回路の制御入力端子に接続する。プリント配線基板の中央部には何れの部品も配置しない空隙部を設け取り付け孔を明ける。斯かる構成で該取り付け孔周辺を除くプリント配線基板の面を熱伝導性絶縁材で覆う構造とする。
【実施例】
【０００７】
以下添付図に従って実施例を説明する。図1は実施例のLEDランプモジュ−ルの正面図であり、直方形のプリント配線基板1の表面に直列接続した複数個のLED２を同心円状に配置取り付けし、同面角部に接続端子３を配置し各対応電極間を導通配線する。更に、プリント配線基板1の中央部に取り付け孔4を明ける。
【０００８】
図１に於いてプリント配線基板１の形状は必ずしも直方形である必要はなく、LED２の配置も必ずしも同心円状でなくてもよい。
【０００９】
図１に於けるLED２は必ずしも全て同一色のＬＥＤとせず、異なる色のＬＥＤを混用する事も出来る。
【００１０】
図２は実施例に於けるLEDランプモジュ−ルの側面図である。実施例のLEDランプモジュ-ルの内部回路のブロック図である図4、並びに実施例の定電流回路の機能構成図である図５等と共に以下説明をする。図4の整流回路5は通常ブリッジ整流回路を用い、定電流回路６は制御入力端子付き回路とし、制御入力端子に加える電圧が一定レベル以上の時通電機能し、ゼロレベルの時通電遮断するよう作動するもので、図５に於いてトランジスタ１５のベ−ス・グランド間にツェナ−ダイオ−ド１６を接続した際、抵抗１７を介しベ−スに加える電圧がツェナ−電圧以上となった時エミッタ−・グランド間に接続した抵抗１８とツェナ−電圧で決まる一定のコレクタ−電流が流れる機能を利用したもので、ベ−スに加える電圧が制御電圧となる。これ等の電子回路は通常プリント配線基板１のLED2取り付け面裏面に、面実装部品等を用い実装配線する。図4の接続端子３の電力供給電極１３を介し供給される交流を整流回路5により整流し得られた直流を、定電流回路6を経由してLED２に供給しLED2を点灯駆動する回路を構成する。斯かる構成で図２に於けるプリント配線基板1の取り付け孔4の周辺の空隙部７を除くプリント配線基板1の面を適切な熱伝導性絶縁材8で覆う。
【００１１】
図４に於いて制御電極１４は通常定電流回路６の制御入力端子に接続して使用するが、定電流回路６の制御入力端子を恒常的に高レベル電源に接続して使用するか、若しくは定電流ダイオ−ド等をこの目的に用いた場合、制御電極１４を省き使用する事が出来る。
【００１２】
図3は実施例のLEDランプモジュ−ルを灯対のランプ取り付け面へ固定する例を示す図である。図3において、LEDランプモジュ−ルは、例えばネジ10を用いて灯体のランプ取り付け面に固定を行うに当り、ネジ10の締め付け度をゆるくしておき、灯体のランプ取り付け面9とLEDランプモジュ−ル間に出来る隙間の一端に、枕材11を挟み固定する事により、LEDランプモジュ−ルの光軸12を任意の方向と角度に傾斜して取り付ける事が出来る。
【図面の簡単な説明】
【００１３】
【図１】実施例のLEDランプモジュ−ルの正面図である。
【図２】実施例のLEDランプモジュ−ルの側面図である。
【図３】実施例のLEDランプモジュ−ルを灯対のランプ取り付け面へ固定する例を示す図である。
【図４】実施例のLEDランプモジュ−ルの内部回路ブロック図である。
【図５】実施例の定電流回路の機能構成図である。
【符号の説明】
【００１４】
１            プリント配線基板
２            LED
３            接続端子
４            取り付け孔
５            整流回路
６            定電流回路
８            熱伝導性絶縁材
１３            電力供給電極
１４            制御電極
【図１】
0003142792.tif 000003
【図２】
0003142792.tif 000004
【図３】
0003142792.tif 000005
【図４】
0003142792.tif 000006
【図５】
0003142792.tif 000007